Podtech/llm-jp-corpus-v4-ja_patent huggingface dataset:
(57)【要約】【課題】従来品のケース内にスポンジを収めるスポンジ具は、スポンジ内に含まれた水分だけしか利用できないので、乾燥が速く、たびたび給水する必要があり、また、均一な湿潤状態を保つことができず、スポンジン内の含水量の目視もできなかった。【解決手段】水槽上部に吸水性スポンジを納めたスポンジケースを取り付け、そのスポンジ内から毛細管現象で補給水を吸い上げる揚水材を水槽内に垂らした。【選択図】図１
2012236397.tif 000002
【特許請求の範囲】
【請求項１】
水槽上部に吸水性スポンジを納めたスポンジケースを取り付け、そのスポンジ内から毛細管現象で補給水を吸い上げる揚水材を水槽内に垂らしたスポンジ具。
【発明の詳細な説明】
【技術分野】
【０００１】  本発明は、紙をめくる場合等のために滑り止め用として指先に水をつける等のためのスポンジ具に関するものである。
【背景技術】
【０００２】  従来から、背の低いケース内にスポンジを収め、上部からスポンジ上に直接給水する形式のスポンジ具や、背の低い水槽内にスポンジを投げ込む形式のスポンジ具がある。
【発明の概要】
【発明が解決しようとする課題】
【０００３】  従来品のケース内にスポンジを収めるスポンジ具は、スポンジ内に含まれた水分だけしか利用できないので、蒸発による乾燥が速く、たびたび給水する必要があり、乾燥に伴いスポンジ内の含水量が減っていくため、常に均一な湿潤状態を保つことができず、給水当初は指が濡れ過ぎてしまい、めくる紙を傷めてしまう恐れもあったし、スポンジン内の含水量の目視もできなかった。【０００４】  また、スポンジ上部から給水するため、水が流れ出ない対策としてケース周辺を高くする結果、使いぬくい形状となっている。この問題および、スポンジ内に含まれた水分だけしか利用できない構造から、スポンジ面積を大きくする必要があった。実用上のスポンジ面積は指先が乗るサイズで充分である。【０００５】  背の低い水槽内にスポンジを投げ込む形式のスポンジ具では、水槽を使っているので１回の給水で長時間の使用に耐えうるが、上記同様に設置面積を要し、低い位置での操作となるので、物が立て込む机上での操作には不便であり、開放水槽を使っているので転倒すれば水がこぼれるし、不潔となり易い。
【課題を解決するための手段】
【０００６】  水槽１上部に吸水性スポンジ２を納めたスポンジケース３を取り付け、そのスポンジ内から毛細管現象で補給水６を吸い上げる揚水材５を水槽１内に垂らした。
【発明の効果】
【０００７】  水槽から毛細管現象を利用してスポンジ内に補給水を吸い上げる形式のため、常に均一な湿潤状態を保つことができ、水槽内の水を使うため長期に水分を供給でき、水槽内に給水するため、給水回数も少なくて済み、水槽内は密封に近い状態に保たれるので、不潔になることもなく、転倒しても水槽内の水がこぼれることも無い。【０００８】  従来品では、スポンジ面積を大きくする必要があったが、本発明では、水槽から水を供給するので、スポンジの平面積は指が乗るサイズで十分であり、これにより蒸発量を少なくすることができるので、給水回数を少なくでき、設置面積も小さくできる。【０００９】  また、水槽から毛細管現象を使って水を吸い上げるので、縦長形式（図２）も利用でき、設置面積を大幅縮小でき、高い位置で作業できるので、物が立て込む机上での使用には便利だ。【００１０】  また、スポンジをケースから盛り上げてセットできるので使い易く、スポンジ中央の形状を山形にすれば、親指と人差し指の両方に同時に水をつけることができるので便利だ。【００１１】  また、逆さにして使えば水を均一塗布できる水刷毛としても使用でき、封筒等の綴じ代糊付け部を濡らす等にも利用できる。【００１２】  また、水槽材質に透視性を持たせれば、残水量が目視できるので便利だ。従来品のケース内にスポンジを収めるスポンジ具は、指を直接触れてみないと乾燥度が分からずイライラすることもあった。
【図面の簡単な説明】
【００１３】
【図１】  縦断面図
【図２】  縦長形式の斜視図
【発明を実施するための形態】
【００１４】  本発明は、水槽内から水を供給するのでスポンジ面積も小さくて済み、１回の給水で長期の均一な使用に耐え得るが、暫く使用しない時は頭部にキャップを被せる形式にすると更に給水間隔を長くできる。スポンジの平面積を小さくできるので、キャップ径を小さくでき、スポンジを確実に密封し易い。
【００１５】  スポンジケースの水槽への取り付け方法は、単純な嵌め込み方式（図例）でも良く、ネジ込みでも良く、確実に取り付けできればよい。水槽内は水位の低下とともに空気圧が低下するので、スポンジの任意位置に水を通さない程度の小縦穴を設けておくか、スポンジケースと水槽間に僅かな隙間を設けておくと良い。
【００１６】  揚水材は、毛細管現象で水をスポンジ内に供給できる材質なら何でも良く、日常使用されている紐でも十分で、揚水材とスポンジとの連結固定には刺しピンを使うと簡単だ。
【００１７】  なお、細長型（図２）は転倒し易いので対策が必要だが、それらは権利請求範囲外である。図例では底板をつけた。
【符号の説明】
【００１８】１  水槽
２  スポンジ
３  スポンジケース
４  キャップ
５  揚水材
６  補給水
【図１】
2012236397.tif 000003
【図２】
2012236397.tif 000004
【手続補正書】
【提出日】平成23年9月21日(2011.9.21)
【手続補正１】
【補正対象書類名】明細書
【補正対象項目名】００１０
【補正方法】変更
【補正の内容】
【００１０】  また、スポンジをケースから盛り上げてセットできるので使い易く、スポンジ中央の形状を山形にすれば、親指と人差し指、中指の３指の内側に同時に水をつけることができるので便利だ。
【手続補正２】
【補正対象書類名】明細書
【補正対象項目名】００１５
【補正方法】変更
【補正の内容】
【００１５】  スポンジケースの水槽への取り付け方法は、単純な嵌め込み方式（図例）でも良く、ネジ込みでも良く、水槽と一体成型でも良く、確実に取り付けできればよい。水槽内は水位の低下とともに空気圧が低下するので、スポンジの任意位置に水を通さない程度の小縦穴を設けておくか、スポンジケースと水槽間に僅かな隙間を設けておくと良い。
【手続補正３】
【補正対象書類名】明細書
【補正対象項目名】００１６
【補正方法】変更
【補正の内容】
【００１６】  揚水材は、毛細管現象で水をスポンジ内に供給できる材質なら何でも良く、日常使用されている紐でも十分で、揚水材とスポンジとの連結固定には刺しピンを使うと簡単だ。また、スポンジ材と一体成型としても良い。
(57)【要約】【課題】従来の単独ペン立ては構造が複雑なため高価であり、設置面積を要し、壁面には設置できなかった。【解決手段】弾性薄板の一方にグロメット型ゴム性リングをつけたペン筒穴を設け、その穴に着脱可能でペン収納筒を挿入し、薄板反対側の片面には貼り付け設置用の粘着材をつけた。【選択図】図２
2012236395.tif 000002
【特許請求の範囲】
【請求項１】
弾性薄板の一方にグロメット型ゴム性リングをつけたペン筒穴を設け、その穴に着脱可能でペン収納筒を挿入し、薄板反対側の片面には貼り付け設置用の粘着材をつけた弾性薄板貼り付けペン立て。
【発明の詳細な説明】
【技術分野】
【０００１】  本発明は、単一のペンを立てるペン立てに関するものである。
【背景技術】
【０００２】  机上に単一のペンを立てる用具は、ペン収納筒の根元に金属球をつけて下からバネで押し上げる構造の製品がある。通常は転倒防止のため支持台に重量物を使うか、支持面積を大きくしている。
【発明の概要】
【発明が解決しようとする課題】
【０００３】  金属球をつけた製品は構造が複雑であるので大変高価であり、転倒防止のため支持台を重くするか、面積を広げる必要があった。また壁面には設置できなかった。
【課題を解決するための手段】
【０００４】  弾性薄板１の一方にグロメット型ゴム性リング３をつけたペン筒穴を設け、その穴に着脱可能でペン収納筒２を挿入し、薄板反対側の片面には貼り付け設置用の粘着材５をつけた。形態としては、床の端に貼り付けて使用する床端型（図１、図２）、一般床面に貼り付けて使用する床面型（図３）、壁面に貼り忖けて使用する壁面型（図４）を作成できる。
【発明の効果】
【０００５】  構造が非常に単純なため安価で製造でき、粘着材で設置面に貼り付けているので、ペンに手が当っても移動しないし、転倒もしないし、弾性薄板上にグロメット型ゴム性リングをつけたペン筒穴に着脱可能でペン収納筒を挿入しているので、衝撃が緩衝される。【０００６】  ペン筒を支える弾性薄板には弾性があるので、本体全体を引き上げれば、粘着部は端からめくり上がる形式となるので、貼り付け面から簡単に剥がすことができる。【０００７】  ペン収納筒は着脱可能で挿入しているので、色違いのペン収納筒を入れ替えて楽しむことができる。また、ペン収納筒が邪魔な時は引き抜いて置けば良い。【０００８】  床端型は、机等の端に貼り付けて設置し、ペン部分を持ち出して使用する。従って、机上を占有しないので、机を面積一杯に使用できる。また、ペン先が床面より下がるので一層使い易い。
【図面の簡単な説明】
【０００９】
【図１】  床端型平面図
【図２】  床端型断面図
【図３】  壁面型断面図
【図４】  床面型断面図
【発明を実施するための形態】
【００１０】  薄板は弾性のある樹脂板とすると良く、ペン筒の傾きを既定より変えたい時は、樹脂板ならライター等で少し加熱すれば、簡単に変形させて傾けることができる。粘着部にゴミが付着して粘着度が落ちた時は、市販の一般両面粘着テープを使用すれば良い。
【００１１】  なお、床端型では、端に段差のある縁がある場合もあるので、その分を考慮して薄板を段型に曲げておくと良い（図２）。
【符号の説明】
【００１２】１  弾性薄板
２  ペン収納筒
３  ゴム性リング
４  床端
５  粘着材
６  床面
７  壁面
【図１】
2012236395.tif 000003
【図２】
2012236395.tif 000004
【図３】
2012236395.tif 000005
【図４】
2012236395.tif 000006
(57)【要約】【課題】  従来の単一式のペン立ては、設置面積が大きく、高価で、壁面には設置できなかった。【解決手段】  ゴム磁石盤上部にヒンジ構造でペン収納筒を取り付けた。【選択図】図２
2012236399.tif 000002
【特許請求の範囲】
【請求項１】
ゴム磁石盤上部にヒンジ構造でペン収納筒を取り付けたゴム磁石盤ペン立て。
【発明の詳細な説明】
【技術分野】
【０００１】  本発明は、事務用の単一のペン等を立てる用具に関するものである。
【背景技術】
【０００２】  ペン立ては各種作成されてきたが、単一のペン立てとしては、ペン収納筒の根元に金属球を取り付け、バネで押し上げてペン収納筒を支持する形式が代表的だ。
【発明の概要】
【発明が解決しようとする課題】
【０００３】  従来技術の単一ペン立ては、転倒防止のために設置台の面積を大きくするか、金属等の重い材料を使用せざるを得ず、根元に金属球を取り付けたペン立ては、傾斜が自在に調整できるが、構造が複雑であり、高価でもあった。また、壁面への設置はできなかった。
【課題を解決するための手段】
【０００４】  ゴム磁石盤上部にヒンジ構造でペン収納筒を取り付ける。
【発明の効果】
【０００５】  本発明は、ゴム磁石盤を使うことにより、鉄面なら、壁面でも簡単に設置でき、ゴム磁石盤に弾性があることにより、ペンに物が当っても衝撃を吸収でき、構造が簡単なため安価で製造できる。【０００６】  弾性盤とペン収納筒とはヒンジ構造で接続しているので、強い力で傾ければ傾斜を自在に調整でき、磁力でくっつけているので、強く引っ張れば簡単に剥がれるので、移動も便利だ。【０００７】  また、白板マーカー用ペン立てとして利用すれば、現在の作業環境であるペン皿なら、手を捻って拾い、いったん持ち替えなければならないし、作業後にペン皿におく場合でも手をひねって置くこととなり、ペンを床に落としてしまう場合も合った。また、幅の広い白板なら、ペンがどこにあるか探さなければならないが、これなら使用位置まで引っ張っていき、直ちに取り出し使用でき、そのままの手の状態で収納できる。さらに、ベン皿そのものが不要になるので、白板の設置コストが軽減される。
【図面の簡単な説明】
【０００８】
【図１】  本発明の斜視図
【図２】  壁面使用時の側面図
【発明を実施するための形態】
【０００９】  壁面で使用する場合は、過傾斜防止のためのストッパをつけると良い。また、複数のペンを立てる時は、同一盤上にペン収納筒を複数連立させれば良い。
【００１０】  ペン収納筒は、例図Ａでは、ペン収納筒を軸構造であるハトメ等で取り付け、例図Ｂではペン収納筒根元を球型としてゴム磁石盤頭部材で包み込み、挟んで支承することにより、各方向に傾斜を調整でき、かつ構造がより単純となる。
【符号の説明】
【００１１】  １  ゴム磁石盤
２  ヒンジ構造
３  ペン収納筒
４  壁面
５  ストッパ
【図１】
2012236399.tif 000003
【図２】
2012236399.tif 000004
(57)【要約】      （修正有）【課題】携帯電話用音声案内システムを利用することにより、専用設備設置場所に限られることなく、携帯電話やインターネット接続による音声案内サービスを提供する。【解決手段】ＱＲコード（登録商標）を印刷したり、画面に表示させたりなどによって音声案内システムの利用者に提供し、利用者はＱＲコードを携帯電話に読み込み、リンクを認識させ、音声データ及び操作用ソフトウエアを携帯電話にダウンロードする。ダウンロードした操作用ソフトウエアを起動することによって、携帯電話を音声案内端末として利用できる。【選択図】図１
2012129964.tif 000002
【特許請求の範囲】
【請求項１】
ＱＲコードなどで携帯電話に読む込むことによって、音声データ及び操作用ソフトウエアに接続し、音声案内システムの端末機能を持たせる。
【請求項２】
一般的に利用されている携帯電話機器を音声案内システムの端末として利用する仕組み。
【発明の詳細な説明】
【技術分野】
【０００１】  この発明は、携帯電話を音声案内端末として利用に関する。
【背景技術】
【０００２】  従来の音声案内システムは専用端末を必要とするが、携帯電話でデータ及びソフトウエアの保管場所情報を読み込み、音声データ及び操作用ソフトウエアをダウンロードすることによって携帯電はに音声案内機能を持たせる。
【先行技術文献】
【特許文献】
【０００３】
【特許文献１】特開２００５−９２４８３
【特許文献２】特開平９−２５８７６０
【発明の概要】
【発明が解決しようとする課題】
【０００４】  しかしながら、以上の技術によれば、専用端末（機器）が必要であるため、利用できる場所および利用目的が限られるだけではなくて、システム開発や運営コストが高い。
そこで、この発明は、一般的に使われている携帯電話を音声案内システムの端末として利用し、どこでも多様な利用目的に対応するお手軽に使用できる音声案内システムを提供することを課題とする。
【課題を解決するための手段】
【０００５】  以上の課題を解決するために、本発明は、一般的に使われている携帯電話にＱＲコードを読み込み、音声データ及び操作ソフトウエア保管先のリンクを認識させ、音声データと操作用ソフトウエアをダウンロードすることによって、携帯電話に音声案内システム端末の機能を持たせる仕組みである。
【発明の効果】
【０００６】  本発明によれば、音声データ及び操作用ソフトウエアはどこでも携帯電話にダウンロードができ、利用できることによって、専用端末の開発、製造、データ更新、本体貸し出し管理する必要がなく、音声案内サービスを提供できる。
サーバー（インターネット）側で音声データを更新することによって、新しい内容も簡単に提供できる。
利用者はＱＲコードを携帯電話に読み込み、音声データ及び操作用ソフトウエアへのリンクを認識させ、簡単操作で必要な音声データ及び操作用ソフトウエアをダウンロードし、携帯電話を音声案内端末として利用できるので、特定な場所での関連機器（発信器）の設置、管理が不要であるため、システムの企画や運営コストがやすく、ＱＲコードの情報またはリンク先の情報を提示できるあらゆるところで使用は可能。
【図面の簡単な説明】
【０００７】
【図１】この発明の一実施形態を示す図面である。
【発明を実施するための形態】
【０００８】  この発明の一実施形態を、図１に示す。
あ）音声案内用の音声データ及び操作用ソフトウエアを用意し、サーバーにアップロードする。
い）アップロードした音声データ及び操作用ソフトウエアの保管場所のリンクを元にＱＲコードを作成する。
う）ＱＲコードを印刷したり、画面に表示させたりなどによって音声案内システムの利用者に提供する。
え）利用者はＱＲコードを携帯電話に読み込み、リンクを認識させ、音声データ及び操作用ソフトウエアを携帯電話にダウンロードする。
お）ダウンロードした操作用ソフトウエアを起動することによって、携帯電話を音声案内端末として利用できるようになる。
【０００９】「実施形態の効果」
この実施形態によれば、観光地などで案内人がいない観光施設の案内板などにＱＲコードを張るだけで訪れた観光客に音声案内機能を提供できる。
商品パッケジに音声案内システムのＱＲコードを印刷するだけで、消費者に音声で商品の説明などを提供できる。
展示会などの入口で音声案内システムのＱＲコードを配ったり、販売したりすることによって、ハードウエアを管理しなくても、お客様に展示品の音声案内を提供できる。
【図１】
2012129964.tif 000003
(57)【要約】【課題】  サーフボード用の滑り止めはサーフィンの初まったころから現在まで世界中変わることなく、原始的な手で塗るワックスを使用している。ワックスの原料は石油系、植物系の油性で、いずれも熱で溶けて砂が付いたり、溶けて周りを汚す。自動車の座席や洋服に付いたりで大変である。【解決手段】  スプレーにより滑り止め剤を塗布することにより本発明はワックスによる欠点を除くものである。これにより、自然環境を保護し、人体にも優しい方法である。従来の方法はサーフボードにワックスの汚れを残すが、本発明の方法では大丈夫である。滑り止め剤はウレタン系の滑り止め剤が好ましく、これはサーフボードに付着した時に膨らみ、非常に効果的である。【選択図】図２
2012001705.tif 000002
【特許請求の範囲】
【請求項１】
スプレーによりサーフボードの滑り止め剤を塗布するサーフボードの滑り止め剤の付着方法
【請求項２】
ウレタン系の滑り止め剤を塗布する請求項１記載のサーフボードの滑り止め剤の付着方法。
【発明の詳細な説明】
【技術分野】
【０００１】    本発明はサーフボードの滑り止め付着方法に関する。
【背景技術】
【０００２】    サーフボード用の滑り止めはサーフィンの初まったころから現在まで世界中変わることなく原始的な手で塗るワックスを使用している。ワックスの原料は石油系、植物系の油性で、いずれも熱で溶けて砂がくっついたり、溶けて周りを汚してしまう。【０００３】    サーフボードは綺麗にデザインされたものが多く、ワックスを塗ることで汚れてデザインまで殺してしまう。又、ワックスはサーフィンをする度に塗り、消耗が早い。ビーチでワックスを塗って、余ったものを捨てたり、夏の高温で溶けて砂を汚してしまう。【０００４】    自動車の中に積むとワックスが溶けて座席を汚したり、洋服に付いたら大変なことになる。現在、サーフィンをする時は滑り止めは世界中手で塗るワックスを使用しており資源の大きな無駄を作っている。
【先行技術文献】
【０００５】
【特許文献】
【特許文献】    類似のものは全くない。
【非特許文献】
【０００６】    類似のものは全くない。
【発明の概要】
【発明が解決しようとする課題】
【０００７】    現在は世界中ワックスをサーフィンをする時一回一回手で塗っていて、大変厄介なものであった。【０００８】    本発明は、このような構成が有していた問題を解決しようとするものであり、簡単で有効に滑り止めを付着させることを目的とするものである。
【課題を解決するための手段】
【０００９】    本発明は滑り止め剤をスプレーして塗布するものである。【００１０】    又、滑り止めにウレタン系の滑り止め剤を使用しサーフボードに塗布することである。【００１１】    この課題の解決手段とする作業はビーチに着いてサーフボードにスプレーで滑り止め剤を塗布する。非常に簡単な作業である。又、滑り止め剤は、１回塗布するとサーフィンを数回使用できる。ワックスの場合は１回１回サーフィンをする度に面倒な仕事をしなければならない。【００１２】    ウレタン系の滑り止め剤により塗布すると膨らみ簡単に滑り止め剤をスプレーで塗布出来、且つ滑り止め効果は非常に高い。
【発明の効果】
【００１３】    上述したように本発明の滑り止め剤の塗布は今までのワックスを塗ることにより行っていた作業を改良できる。資源の無駄をなくし周りを汚さず身体に優しい。【００１４】    又、この方法は安価であり必要な時に簡単に滑り止めを施すことが出来、自然環境を汚さない。
【図面の簡単な説明】
【００１５】
【図１】    サーフボードの平面図
【図２】    スプレーの正面図
【発明を実施するための形態】
【００１６】    自動車等でビーチに着いたら、サーフボード１を取り出し、スプレー２により、滑り止め剤３を塗布する。滑り止め剤は透明に近いものが好ましい。
【００１７】    ウレタン系の滑り止め剤は滑り止め効果も著しくサーフボードに付いた時、膨れ効果的である。
【００１８】    一度塗布すれば数回のサーフボードの使用ができる。
【符号の説明】
【００１９】    １    サーフボード
２    スプレー
３    滑り止め剤
【図１】
2012001705.tif 000003
【図２】
2012001705.tif 000004
(57)【要約】【課題】  本発明は、飲料水を入れるペットボトルである。通常、複数の人が集まった場所でペットボトルの飲料水を飲む場合、自分の飲みかけているペットボトルが、どれなのかわからなくなるのが常であった。使用者の目印が付けられるペットボトルを提供する。【手段】ペットボトル本体の蓋固定用の環状体の下部に、起点の印を記入する。蓋固定用の環状体の周面に、ダイヤル状に数字を列記する。ペットボトル開封後、蓋固定用の環状体を回して、ダイヤル状の数字の一つを起点の印と合わせておくことで、使用者の目印が付けられる。【選択図】図２
2012001272.tif 000002
【特許請求の範囲】
【請求項１】
ペットボトル本体の蓋固定用の環状体の下部に起点となる印をつけ、蓋固定用の環状体の周面にダイヤル状に数字を列記し、起点の印とダイヤル状に列記してある数字の一つを合わせておくことで、使用者の目印を付けることのできるペットボトル。
【請求項２】
蓋固定用の環状体の周面にダイヤル状にアルファベットを列記し、起点の印とアルファベットの一文字を合わせておくことで、請求項１の使用者の目印を付けることのできるペットボトル。
【発明の詳細な説明】
【技術分野】
【０００１】  本発明は、飲料水を入れるペットボトルであって、使用者の目印が付けられるペットボトルに関するものである。
【背景技術】
【０００２】  従来、ペットボトルは蓋と蓋固定用の環状体の間にある連結部を、ねじ切ることで蓋がはずれ、飲料水を飲むことができる。
ねじ切った後の蓋固定用の環状体には役割が無くなって、ペットボトルの口元部を自由に回転できる状態になっている。
【発明の概要】
【発明が解決しようとする課題】
【０００３】  複数の人が集まった場所でペットボトルの飲料水を飲む場合、次のような問題点があった。
同一銘柄のペットボトルを飲みかけている場合、自分の飲みかけのペットボトルがどれなのか、わからなくなる。
本発明は、以上の問題点を解決し、自分の使用しているペットボトルに目印が付けられるペットボトルである。
【課題を解決するための手段】
【０００４】  ペットボトル本体の蓋固定用の環状体の下部に、起点となる印を付ける。
蓋固定用の環状体の周面にダイヤル状に数字を列記する。
ペットボトル開封後、蓋固定用の環状体を回転し、ダイヤル状に列記された数字の一つを起点の印に合わせておくことで、使用者の目印が付けられるようにする。
本発明は、以上の構成よりなる使用者の目印が付けられるペットボトルである。
【発明の効果】
【０００５】  本発明で、蓋固定用の環状体の周面に列記したダイヤルの数字を、起点の印と合わせておくことで、使用者が目印を付けることができ、他人の物との区別を明確にできる。
【図面の簡単な説明】
【図１】  従来のペットボトルの蓋部分の斜視図
【図２】  本発明の斜視図
【図３】  本発明の一部を切り欠いた断面図
【発明を実施するための形態】
【０００６】以下、本発明の実施の形態を説明する。
（イ）  通常のペットボトルの蓋部分は、蓋（１）と連結部（２）と蓋固定用の環状体（３）が、一体となって製作されている。
使用時は、蓋（１）部分を回し、連結部（２）をねじ切って使用する。
開封した後の蓋固定用の環状体には、何の役割も無くなっている。
（ロ）  蓋固定用の環状体（３）の周面に数字（５）をダイヤル状に列記する。
（ハ）  ペットボトル本体の蓋固定用の環状体の下部（４）に、起点となる印（６）を記入する。
本発明は以上の構成よりなる。
本発明を使用する場合は、ペットボトル開封後、蓋固定用の環状体（３）を回して蓋固定用の環状体の周面にダイヤル状に列記された数字（５）の一つを起点の印（６）と、合わせる。
合わせた数字が使用者の目印となる。
【符号の説明】
【０００７】  （１）蓋、（２）連結部、（３）蓋固定用の環状体、（４）下部、（５）数字、
（６）起点の印
【図１】
2012001272.tif 000003
【図２】
2012001272.tif 000004
【図３】
2012001272.tif 000005
(57)【要約】      （修正有）【課題】簡単な構造で握力の弱い女性や子供や老人であっても、簡単に開栓をすることのできるキャップを提供する。【解決手段】容器側の口部に螺合する円筒部を備えたキャップ１において、前記キャップ１上面に溝、または前記キャップの上面に突起３を備え、当該キャップ１の上面の溝、または当該キャップ１の上面の突起３にキー４またはナイフ等を嵌入または当接させて、キャップ１を開くための力点をキャップ１の外径より大きくとれるようにして、キー４やナイフ等を開方向に回転させることによって、軽い力で容易に開栓することができる。【選択図】図２
2012001271.tif 000002
【特許請求の範囲】
【請求項１】
容器側の口部に螺合するキャップにおいて、キャップ上面に溝を備えていることを特徴とするキャップ。
【請求項２】
容器側の口部に螺合するキャップにおいて、キャップ上面に突起を備えていることを特徴とするキャップ。
【発明の詳細な説明】
【技術分野】
【０００１】  本発明は、容器の口部に螺着されるキャップに係り、特に、飲料水や調味料入れる容器の口部に螺着されるキャップに関する。
【背景技術】
【０００２】  従来、飲料水や調味料を入れるガラス又はＰＥＴ、その他硬質の合成樹脂を素材として成形される容器の口部には、ねじ式のキャップが取り付けられている（例えば、特許文献１参照。）。
【先行技術文献】
【特許文献】
【０００３】
【特許文献１】特開平１０−０５９３９７号  公報
【発明の概要】
【発明が解決しようとする課題】
【０００４】  上述のキャップはキャップ上蓋の外周面に複数の縦溝が形成され、キャップを容器から外す際や容器に装着するときには、前記外周面を握って、縦溝を滑り止めとして回している。【０００５】  しかし、上述のキャップは外径が比較的小さく、最初に開栓する時や、冷蔵庫から飲料ボトルを取り出して開栓する時、或いは手が濡れた状態で開栓しようとする時等、握力の弱い女性や子供、老人では開栓が困難なことがある。【０００６】  そこで本発明は、簡単な構造で握力の弱い女性や子供、老人であっても、簡単に開栓をすることのできるキャップを提供することを目的としている。
【課題を解決するための手段】
【０００７】  上記の課題を解決するため、本発明は、容器側の口部に螺合する円筒部を備えたキャップにおいて、前記キャップ上面に溝を備えていることを特徴としている。【０００８】  また、第２の解決手段は、キャップ上面に突起を備えていることを特徴としている。【０００９】  上記第１の課題解決手段による作用は次のとうりである。すなわち、キャップ上面に設けた溝にキーやナイフ等を差し込み、キャップを開くための力点をキャップの外径より大きくする。【００１０】  上記第２の課題解決手段による作用は、上記第１の課題解決手段と同様にキャップ上面に設けた突起にキーやナイフを当てて、キャップを開くための力点をキャップの外径より大きくする。
【発明の効果】
【００１１】  本発明は上述のように構成することによって、キーやナイフ等を開方向に回転させることによって容易に開栓することができ、握力の弱い女性や子供、老人であっても、簡単に開栓をすることができる。
【図面の簡単な説明】
【００１２】
【図１】第１の実施形態の斜視図である。
【図２】第２の実施形態の斜視図である。
【発明を実施するための形態】
【００１３】  以下、本発明を発明の実施形態に基づいて詳細に説明する。
【００１４】  実施例について図面を参照して説明すると、図１のようにキャップ１に溝２を設ける。溝２にキーの一部を差し込み回すことにより容易に開栓できる。
【００１５】  他の実施例としては図２のように、キャップ１に突起３をを設ける。突起３にキーの一部を当てて回すことにより容易に開栓できる。
【符号の説明】
【００１６】１  キャップ
２  溝
３  突起
４  キー
【図１】
2012001271.tif 000003
【図２】
2012001271.tif 000004
(57)【要約】【課題】歯磨きチューブや毛染め剤チューブなどのチューブ状容器の内容物を絞り出すのに、二つのローラーを使うものはあったが、ひとつのローラーで押し出して絞り出すものが無かった。  本発明は、チューブ状容器の内容物を絞り出す際の用具を提供する。【解決手段】板状の金具の中にゲルシートをサンドイッチ状に挟み、ロールケーキ状に巻き、取手のような握り部をつけて、掃除用具のコロコロ状にし、シートの弾力性を利用し、圧迫を強化できることを特徴とする絞り出し具。【選択図】図１
2012001273.tif 000002
【特許請求の範囲】
【請求項１】
ゲル状弾力材のシートをサンドイッチ状に挟んだ金具を、ロールケーキ状に巻き、中心部に金具の芯を通し、芯を延長し、芯と接続させた握り部を設けたチューブ絞り出し具。
【発明の詳細な説明】
【技術分野】
【０００１】  本発明は、歯磨きチューブや毛染め剤チューブなどのチューブ状容器の内容物を絞り出すためのチューブ絞り出し具に関するものである。
【背景技術】
【０００２】  従来、チューブ状容器の内容物を絞り出すには、二つのローラーでチューブ状容器を挟んで絞り出すものはあったが、ひとつのローラーを使って絞り出すものが無かった。
なお、握り部を掴んで、ふたつのローラーで挟んで使うタイプのものは知られている。（特許文献１参照）
【先行技術文献】
【０００３】
【特許文献１】  登録実用新案第３１１８７７４号公報
【発明の概要】
【発明が解決しようとする課題】
【０００４】  チューブ状の容器の内容物を絞り出す際、残したくないために、チューブ状容器をできるだけペチャンコに潰して絞り出していたが、なかなか、思い通りには絞り出せなかった。
本発明は、以上の問題点を解決するためになされたものである。
【課題を解決するための手段】
【０００５】  ゲル状弾力材シートをサンド状に挟んだ板状の金具を、ロールケーキ状に巻き、中心に芯を入れ、芯を延長し、接続させた握り部を設けて、掃除用具のコロコロ状にする。
以上の構成よりなるチューブ絞り出し具である。
【発明の効果】
【０００６】  従来、チューブ状容器を押し潰して、内容物を残さず絞り出すのは不可能だったが、本発明を使うことで可能にした。
本発明は、金具のチューブ状容器から内容物を絞り出すのに、特に、有効である。
【図面の簡単な説明】
【０００７】
【図１】本発明の斜視図
【図２】本発明の使用状態を示す斜視図
【発明を実施するための形態】
【０００８】以下、本発明の形態を説明する。
（イ）２枚の板状の金具（１）の中に、ゲル状弾力シート（２）を挟み込み、サンドイッチ状にし、ロールケーキ状に巻き、中心に芯（３）を入れ、芯を延長し、握り部（４）を設けて接続させる。
本発明は以上のような構造である。
本発明を使用するときは、チューブ状容器の上に、コロコロ状金具を置き握り部を掴み、出口方向に向かって移動させる。さらに、手に力を入れ、重さを増すことで、より押し潰す満足感が得られ、残さず絞り出すことができる。特に、美容院などで使用している金具状チューブ容器に有効である。
又、ゲルシートを使うことで洗うことが可能になる。さらに、金具に色をつけたり、文字を書いたり、美容院などのアピールに使用できる。
【符号の説明】
【０００９】    １金具
２ゲルシート
３芯
４握り部
５チューブ状容器
【図１】
2012001273.tif 000003
【図２】
2012001273.tif 000004
(57)【要約】【課題】  従来のスタイは拭く面のほかに、紐やマジックテープ・クリップなどの装着部品が必要で製作・着脱の際に手間であり、また無理に外すと首を痛める恐れがあった。装着部品が邪魔をし、他の用途に使うことが出来ずにいた。製作・着脱の簡易化および多目的使用できるスタイをより安全に使用できるものとして提供するものである。【手段】  本発明を使用することによって、襟口に挟むだけでスタイを装着でき、引っぱるだけで外すことが出来る。紐やマジックテープなど装着部品が必要ないため、従来よりも簡単に作製し、尚且つ全ての面を使用する事が出来る。【選択図】図１
2012001870.tif 000002
【特許請求の範囲】
【請求項１】
装着部品をつけずに使用する事ができる形状のスタイ
【発明の詳細な説明】
【技術分野】
【０００１】  本発明は、紐やマジックテープ・クリップなど装着部品を使用せず製作・装着することができる。また紐やマジックテープなどがついていないため全ての面を使用し多目的に使えるスタイ（よだれかけ。以下：スタイと呼ぶ。）である。
【背景技術】
【０００２】  従来のスタイは拭く面のほかに、紐やマジックテープ・クリップなどの装着部品で留めるものであった。その際着脱が面倒であり、無理に引っぱるとすぐに取れずに首を痛める恐れもあった。また装着部品が邪魔しスタイ以外の用途で使用できなかった。
【発明の概要】
【発明が解決する課題】
【０００３】  従来のスタイは、次のような欠点があった。
（イ）つける度に紐を結ぶ、クリップを携帯してつけるなど面倒であった。
（ロ）無理に外そうと引っぱると、首を痛める恐れがあった。
（ハ）スタイの用途に使えなかった。
本発明は、以上の問題点を解決するために発明されたものでる。
【課題を解決するための手段】
【０００４】  スタイの一部を、襟口に挟める細さと長さに伸ばして作成する事で、装着部品なく製作・着脱することができるようにする。
【発明の効果】
【０００５】  本発明を使用することによって、襟口に挟むだけでスタイを着脱でき、引っぱるだけで無理なく外すことが出来る。紐やマジックテープなど装着部品がついていないため、全ての面を使用する事が出来る。
【図面の簡単な説明】
【０００６】
【図１】本発明の作製図
【図２】本発明、使用図
【図３】本発明、使用図
【図４】本発明、使用図
【発明を実施するための形態】
【０００７】  以下、本発明の実施形態を説明する。
スタイの一部（２）を、襟口に挟める細さと長さに伸ばして作成する。
本発明は以上の構成からなる。
本発明をスタイとして使用する際は（２）を胸側の襟口に差しこみ折り曲げ図２のようにして使用する。
多目的使用の一例として、図３のように（２）を背中側の襟口に差しこみスタイを首から後頭部にかけて広げることで首の汗取りや日除けとして使用する事が出来る。また図４のように乳幼児背中の汗取りや、おしぼりやタオル代わりなど多目的に使用できる。通常スタイはハンカチよりも厚く、タオルよりも小さく作られるため、吸水性には優れるが、たくさん使用しても嵩張らないため効率が良い。
【符号の説明】
【０００８】１  スタイ
２  スタイの一部を襟口に挟める細さと長さに伸ばした箇所
【図１】
2012001870.tif 000003
【図２】
2012001870.tif 000004
【図３】
2012001870.tif 000005
【図４】
2012001870.tif 000006
(57)【要約】【課題】  自動車のオイル交換の際、ドレーンボルトを手で抜いていくと、熱くなったオイルは勢いよく抜け手を汚してしまう。同時に下向きに付くオイルエレメントを交換する際も従来の軍手の着用では手を汚さずに交換することは不可能だった。本発明は、以上の問題点を解決するためになされたもので、車のオイル交換に際し手を汚すことなく、且つ通常作業時着用の軍手の上から嵌められ、しかもその際の着脱が容易な自動車のオイル交換時の手の油汚れを防止する手袋を提供することである。【解決手段】  油が透過することのない素材を用いて指先から手首付近まで手袋上に形成し、手の甲側に略指の付け根から手の甲が完全に露出する切り欠け部を形成し、前記手首付近の掌側端部から手の甲切り欠け外周に沿い、オイル広がり防止の鍔を設けたことである。又、上記に言うオイル広がり防止の鍔とは、オイルを抜いた際、掌から伝ってくるオイルで手や袖を汚さないため、一定の高さで外面に対しほぼ垂直に折り立てた状態を形成し鍔にしたことである。【選択図】図１
2012001871.tif 000002
【特許請求の範囲】
【請求項１】
油が透過することのない素材を用いて指先から手首付近まで手袋上に形成し、手の甲側にほぼ指の付け根から手の甲が完全に露出する切り欠け部を形成し、前記手首付近の掌側端部から手の甲切り欠け部外周に沿い、オイル広がり防止の鍔を設けた、自動車のオイル交換時の手の油汚れを防止するゴム手袋。
【発明の詳細な説明】
【技術分野】
【０００１】本発明は、自動車のオイル交換時の手の油汚れを防止する手袋に関するものである。
【背景技術】
【０００２】従来、自動車のオイル交換を行う際は、主に一般に流通している軍手を着用し作業を行っていた。
【発明の概要】
【発明が解決しようとする課題】
【０００３】  自動車のオイル交換の際、ドレーンボルトを手で抜いていくと、熱くなったオイルは勢いよく抜け手を汚してしまう。
同時に下向きに付くオイルエレメントを交換する際も従来の軍手の着用では手を汚さずに交換することは不可能だった。
本発明は、以上の問題点を解決するためになされたもので、車のオイル交換に際し手を汚すことなく、且つ通常作業時着用の軍手の上から嵌められ、しかもその際の着脱が容易な自動車のオイル交換時の手の油汚れを防止する手袋を提供することである。
【課題を解決するための手段】
【０００４】  油が透過することのない素材を用いて指先から手首付近まで手袋上に形成し、手の甲側にほぼ指の付け根から手の甲が完全に露出する切り欠け部を形成し、前記手首付近の掌側端部から手の甲切り欠け外周に沿い、オイル広がり防止の鍔を設けたことである。
又、上記に言うオイル広がり防止の鍔とは、オイルを抜いた際、又はオイルエレメントを外した際に掌から伝ってくるオイルで手や袖を汚さないため、一定の高さで外面に対しほぼ垂直に折り立てた状態を形成し鍔にしたことである。
以上の構造よりなる自動車のオイル交換時の手の油汚れを防止する手袋。
【発明の効果】
【０００５】  本発明は従来、手を汚し作業していたオイル交換の作業工程を、本発明の自動車のオイル交換時の手の油汚れを防止する手袋を着用して自動車のオイル交換を行うと、ドレンボルトを抜いた場合、熱くなったオイルが勢いよく抜けて所謂噴出状態となり作業を行う手のひら側に注ぐが、掌側は手首付近まで覆われているため、熱したオイルが直接掌及びその周辺にかかって手を汚すことはなく、作業用軍手との相乗り作用により、火傷等の危険は全く生じない。
従って、オイルで手を汚すこともなくオイル交換の作業を容易に且つ迅速に進めることが可能な自動車のオイル交換時の手の油汚れを防止する手袋を提供することが出来た。
【図面の簡単な説明】
【０００６】
【図１】  本発明の自動車のオイル交換時の手の油汚れを防止する手袋の手の甲側を示す平面図である。
【図２】  本発明の自動車のオイル交換時の手の油汚れを防止する手袋の手の掌側を示す平面図である。
【図３】  本発明の自動車のオイル交換時の手の油汚れを防止する手袋を用いてドレンボルトを抜き取る状態を示す側面図である。
【図４】  本発明の自動車のオイル交換時の手の油汚れを防止する手袋を用いてオイルエレメントを外す状態を示す正面図である。
【発明を実施するための形態】
【０００７】  以下本発明を実施するための形態を図面に基づいて説明すると、ゴム又は、合成樹脂その他、油が透過することのない素材を用いて指先、中指部２から先手首まで延びた部位３の端までの長さからなり、主に指部１、中指部２を覆う様に手袋状に形成される。手首まで延びた部位３は車のオイル交換に際し手を汚すことのない長さと形状とするとよい（図１）（図２）。本発明を嵌めた際、手の甲側は、指の付け根から甲が完全に露出する切り欠け４を設ける。指部１、及び中指部２はオイル交換の際に通常着用する一般に流通している軍手の上から容易に嵌められる形状に形成する。手首まで延びた部位３端部、甲が完全に露出する切り欠け４端部の外周へ、外面と対しほぼ垂直に、外側へ一定の高さで折り立てたオイル広がり防止の鍔５を設ける。
本発明は以上のような構造である
【０００８】  本発明を使用しドレンボルト６を抜くと熱せられたオイルは勢いよく噴出し掌部分に注がれるが油が透過することのない素材と手首まで延びた部位３により、手あるいは衣類にオイルが飛散し手や衣類を汚すことはない（図３）。
【０００９】  下向きのオイルエレメント７を取り外す際も、下に溢れるオイルは掌で受け止め、手や衣類を汚すことはなく取り外すことが出来る。更に掌を伝うオイルは掌から手首まで延びた部位３端部から、甲が完全に露出する切り欠け４端部の外周に添って設けたほぼ垂直に折り立てたオイル広がり防止の鍔５により、甲への進入及び、外部への広がりを抑えられ手や衣類を汚すことはなく作業を終えることができる。（図４）。
【００１０】  オイル広がり防止の鍔５は面に対し外側へ一定に折り立てたもので、掌を伝うオイルが外部へ伝うことのない高さの形状とすると良い。尚、手の甲が完全に露出する切欠け４及び、軍手の上から容易に嵌められる形状に形成された指部１中指部２の構造は共に、オイル交換作業の際に安易な着脱を可能とし、効率よく且つ、迅速に作業を進めることができる。また上記にいう軍手の上から容易に嵌められる形状とは、一般的に流通している軍手を嵌めた状態を規準の寸法とし形成されるものが望ましい。
また本発明を軍手の上から嵌めての作業は、熱くなったオイルによる火傷等、危険性についての心配は全く生じない。
【符号の説明】
【００１１】１  指部
２  中指部
３  手首まで延びた部位
４  甲が完全に露出する切欠け
５  オイル広がり防止の鍔
６  ドレンボルト
７  オイルエレメント
【図１】
2012001871.tif 000003
【図２】
2012001871.tif 000004
【図３】
2012001871.tif 000005
【図４】
2012001871.tif 000006
(57)【要約】【課題】  夜中に寝返りを繰り返している内に、毛布と布団が、ずれて寒い思いをした経験があると思います。又、ずれなくても首筋から入る寒気は、とても冷たいので辛い思いをして来ました。【解決手段】  掛け布団（１）の底面に係着テープ（５）を取り付ける。掛け毛布（２）の上面にも係着テープ（６）を取り付ける。その係着テープ（５）と係着テープ（６）を貼り合わせる事により掛け布団と掛け毛布がずれなくなる。今まで夜中に寝返りを繰り返す都度に掛け布団と掛け毛布が、ずれて寒い思いをしてきましたが、係着テープを取り付けることにより、掛け布団と掛け毛布が一体的になり安心して睡眠が出来る。【選択図】  図４
2012034873.tif 000002
【特許請求の範囲】
【請求項１】
布団に係着部材を取り付ける、毛布にも係着部材を取り付ける、布団と毛布に取り付けた係着部材を張り合わせた事を特徴とする寝具。
【請求項２】
掛け毛布を前後にずらして、係着部材を貼り合わせ布団内への寒気進入を防ぐ事を特徴とする請求項１記載の寝具。
【発明の詳細な説明】
【技術分野】
【０００１】
この発明は、ずれるのを防ぐ寝具に関するものである。
【背景技術】
【０００２】
寝具の使用方法は、各個人の工夫に頼っており背景技術は、特に決まっていなかった。又、首筋より入って来る、寒気に対しては、首にタオル等を巻いて寒さを防いでいるのが現状である。
【特許文献１】特開２００８−３０１９４６
【特許文献２】特開２０００−０８３７８５
【特許文献３】特開平０８−１８７１５３
【発明の開示】
【発明が解決しようとする課題】
【０００３】
冬場での寝具の使用は、掛け布団、掛け毛布、敷毛布、敷布団の４点セットで使用している人が多いと思われます。  その場合、夜中に寝返りを繰り返している内に、毛布と布団が、ずれて寒い思いをした経験があると思います。又、ずれなくても首筋から入る寒気は、とても冷たいので、辛い思いをして来ました。
【課題を解決するための手段】
【０００４】
上記目的達成のため本発明者は、夜中に寝具が、ずれるのを防ぐ方法を発明しました。すなわち、布団に係着部材を取り付ける、毛布にも係着部材を取り付ける、布団と毛布に取り付けた係着部材を張り合わせた事を特徴とする、寝具であるのため、安心して睡眠ができる。又、貼り付け方法としては、布団と毛布に直接係着部材を取り付けても良いし、布団カバーと毛布カバーを使用してそこに係着部材を取り付けても良い、又、布団、毛布の使用については、片方だけカバー使用と言う形も出来る。更に、係着部材の大きさ、長さ及び取り付け位置と個数については限定しない。  
【０００５】
さらに、本願第２の発明の構成は、請求項２記載のとおりである。上記第２の発明の構成に係る寝具は、請求項１に記載の寝具であって、掛け毛布（図３の６が前後に複数貼られている）を前後にずらして、係着部材を貼り合わせ布団内への寒気進入を防ぐ事を特徴とする、寝具である。
【発明の効果】
【０００６】
本願の第１の発明に係る寝具は、上記の説明からも明らかなように、係着部材を利用する事により、夜中に寝返りをしても布団と毛布が離れるを防ぐ。今までのように毛布がずれて寒い思いをする事がなくなり安心睡眠が出来る。
【０００７】
さらに、本願の第２の発明によれば、上記発明の効果に加え、掛け毛布が首筋を絡むようにして、敷毛布まで（図４の８が、首筋を被覆する）垂れ下がり首筋からの寒気の進入を防ぐ。又、反対に布団内部の暖かい空気を逃がさないので気持ちよく睡眠が出来る。
【発明を実施するための形態】
【０００８】
本発明における好適な実施の形態について、添付図面を参照して説明する。尚、以下に説明する実施の形態は、特許請求の範囲に記載された本発明の内容を限定するものではない。又、以下に説明さらる構成が、本発明の必須要件であるとは限らない。
【実施例】
【０００９】
図１は、掛け布団と掛け毛布の斜視図を示す。掛け布団（１）の底面に係着テープ（５）を取り付ける。掛け毛布（２）の上面にも係着テープ（６）を取り付ける。その係着テープ（５）と係着テープ（６）を貼り合わせる。又、係着とは、二つのものを関係させてつけるものである。
【００１０】
図２は、敷毛布と敷布団の斜視図を示す。敷毛布（３）の下面に係着テープ（５）を取り付ける。敷布団（４）の上面にも係着テープ（６）を取り付ける。その係着テープ（５）と係着テープ（６）を貼り合わせる。
【００１１】
図３は、掛け毛布の斜視図を示す。掛け毛布（２）の上面に取り付けた係着テープ（６）は、掛け布団との貼り合わせ位置を考慮して、係着テープ（６）の数を増やしている。
【００１２】
図４は、睡眠中の図を示す。（７）は、掛け毛布位置を調節後に貼り合わせた係着テープを示ており、（８）は、垂らした掛け毛布の部分を示す。
【図面の簡単な説明】
【００１３】
【図１】掛け布団と掛け毛布の斜視図を示す。
【図２】敷毛布と敷布団の斜視図を示す。
【図３】掛け毛布の斜視図を示す。
【図４】睡眠中の図を示す。
【符号の説明】
【００１４】
１  掛け布団
２  掛け毛布
３  敷き毛布
４  敷布団
５  係着テープ
６  係着テープ
７  貼り合わせた係着テープ
８  垂らした掛け毛布
【図１】
2012034873.tif 000003
【図２】
2012034873.tif 000004
【図３】
2012034873.tif 000005
【図４】
2012034873.tif 000006
(57)【要約】【課題】  現在、利用する回路はフィードバック（正帰還）回路のみとなっており、今後の応用回路の模索が必要。  また、コンダクタンス、インダクタンスの容量が低い。【解決手段】  コンデンサーを使用している回路に本素子を加えて音色等を確認する。  また、コンダクタンス、インダクタンスの容量が低い点は長さを長くするか、形状を平たくしたりして容量の増加を模索する。【選択図】図２
2012034323.tif 000002
【特許請求の範囲】
【請求項１】
芯線にスパイラル状に複線を巻いてコンデンサーとして使用する方法。
【請求項２】
芯線、スパイラル状の複線の形状（丸い線、平たい線）。
【発明の詳細な説明】
【技術分野】
【０００１】  コンデンサー、コイル、コンデンサー・コイル複合素子
【背景技術】
【０００２】  コンデンサー、及びコイルの単独の部品があり、容量の計算式も整っていると共に測定方法も確立している。
【発明の概要】
芯線にスパイラル上に複線を巻いたことによるコンダクタンスとリアクタンスの要素を持つ分布定数コンデンサー。
【発明が解決しようとする課題】
【０００３】  アンプのフィードバック（正帰還）回路に於いてコンデンサーによる発信、エコーを緩和する。
【課題を解決するための手段】
【０００４】  アンプのフィードバック（正帰還）回路に本素子を使用する。
【発明の効果】
【０００６】  アンプのフィードバック（正帰還）回路に本素子を使用することにより、発信をおこさず、伸びの良い音のオーディオアンプを作成できる。
【図面の簡単な説明】
【０００７】  コイルの要素を含んだコンデンサーの等価回路です。
【図１】等価回路
【図２】形態図  図１の形態図です。
【図３】素子記号  図１の素子記号です。
【発明を実施するための形態】
【０００８】  アンプの出力側のホットとアンプの入力側のコールドに本素子を使用し接続する。
（フィードバック（正帰還））
【実施例】
【０００９】  出力トランスを使用したＡ級動作真空管アンプの場合、第１段増幅のグリットと出力側のトランスのホット側を１ｐＦ〜５ｐＦの容量の本素子で結合（フィードバック（正帰還））する。
【産業上の利用可能性】
【００１０】  コンデンサー結合で発信しやすい回路などへの応用。
【図１】
2012034323.tif 000003
【図２】
2012034323.tif 000004
【図３】
2012034323.tif 000005